(57)【要約】【課題】配管の構造を単純化でき、ユーザビリティの高い血圧測定装置及びカフユニットを提供すること。【解決手段】血圧測定装置１は、第１の流体が配される内部空間を有する袋体を備え、生体に巻き付けられる、カフ１１と、前記袋体の前記内部空間に連通する流路の前記第１の流体の圧力を検出する圧力センサ２４を備える装置本体２０と、第１の流体が通る第１流路を構成し、一端側が前記袋体に接続され、他端側が前記装置本体２０に接続される、第１のチューブ５１と、前記第１のチューブ５１内の前記第１流路に配され、前記第２の流体が通る第２流路を構成する第２のチューブ５２と、前記第２のチューブ５２の一端側に設けられ、第２の流体を収容するとともに、前記カフ１１に取付けられる、水頭圧袋５５と、前記第２のチューブ５２の他端側に設けられ、前記第２の流体の圧力を検出する水頭圧センサ５７と、を備える。【選択図】      図４
2020010967.tif 000002
【特許請求の範囲】
【請求項１】
第１の流体が配される内部空間を有する袋体を備え、生体に巻き付けられる、カフと、
前記袋体の前記内部空間に連通する流路の前記第１の流体の圧力を検出する圧力センサを備える装置本体と、
第１の流体が通る第１流路を構成し、一端側が前記袋体に接続され、他端側が前記装置本体に接続される、第１のチューブと、
前記第１のチューブ内の前記第１流路に配され、第２の流体が通る第２流路を構成する第２のチューブと、
前記第２のチューブの一端側に設けられ、第２の流体を収容するとともに、前記カフに取付けられる、水頭圧袋と、
前記第２のチューブの他端側に設けられ、前記第２の流体の圧力を検出する水頭圧センサと、を備える血圧測定装置。
【請求項２】
前記水頭圧センサは、前記装置本体に取付けられ、
前記第２の流体は前記第１の流体よりも圧縮率が小さく、
前記第２のチューブは前記第１のチューブよりも、流路径が小さく、曲げ剛性が高く構成された、請求項１に記載の血圧測定装置。
【請求項３】
前記装置本体は、前記第１のチューブを介して前記袋体の前記内部空間に接続される流路部と、前記流路部を介して前記袋体に第１の流体を供給するポンプと、前記流路部を開閉する開閉弁と、前記ポンプおよび前記開閉弁の動作を制御する制御部と、前記第１のチューブ及び前記第２のチューブを有するチューブユニットが接続される接続部が外面に設けられるハウジングと、を備える、請求項１または請求項２に記載の血圧測定装置。
【請求項４】
前記第１のチューブの一端側に接続され、前記第１のチューブと前記袋体の前記内部空間とを連通する空間を有する第１ケース体と、前記第２のチューブの一端側に接続される前記水頭圧袋を収容する第２ケース体と、を一体に備え、前記カフに取付けられる第１コネクタを備える、請求項１乃至請求項３のいずれかに記載の血圧測定装置。
【請求項５】
前記第１のチューブに接続され、前記装置本体内の流路部と前記第１のチューブとを連通する流路を形成する第３ケース体と、前記第２のチューブに接続される前記水頭圧センサを収容する第４ケース体と、を一体に備え、前記装置本体に接続される、第２コネクタを備える、
請求項１乃至請求項４のいずれかに記載の血圧測定装置。
【請求項６】
前記第３ケース体は外方に突出する筒状のプラグを備え、
前記水頭圧センサは、前記第４ケース体から、前記プラグの突出方向に突出する端子を備える、請求項５に記載の血圧測定装置。
【請求項７】
前記第２の流体はグリセリンである、請求項１乃至請求項６のいずれかに記載の血圧測定装置。
【請求項８】
装置本体に接続され、第１の流体が配される内部空間を有する袋体を備え、生体に巻き付けられる、カフと、
第１の流体が通る第１流路を構成し、一端側が前記袋体に接続され、他端側が前記装置本体に接続される、第１のチューブと、
前記第１のチューブ内の前記第１流路に配され、前記第２の流体が通る第２流路を構成する第２のチューブと、
前記第２のチューブの一端側に設けられ、第２の流体を収容するとともに、前記カフに取付けられる、水頭圧袋と、
前記第２のチューブの他端側に設けられ、前記第２の流体の圧力を検出する水頭圧センサと、を備えるカフユニット。
【発明の詳細な説明】
【技術分野】
【０００１】
本発明は、血圧を測定する血圧測定装置及びカフユニットに関する。
【背景技術】
【０００２】
近年、血圧の測定に用いる血圧測定装置は、医療機関においてのみならず、家庭内においても、健康状態を確認する手段として利用されている。血圧測定装置は、例えば内部空間を有し生体の上腕または手首等に巻き付けられるカフと、カフの内部空間に流体を供給するポンプや圧力センサを備える装置本体と、を備える。例えば血圧測定装置は、カフを生体の上腕又は手首等に巻き付け、カフを膨張及び収縮させ、圧力センサによりカフの圧力を検出することで、血圧を測定する（例えば、特許文献１参照）。
【０００３】
一般に、血圧測定装置は、被測定者の心臓の位置と同じ高さで測定された血圧値が心臓における血圧値に近似するといわれている。このため、カフを上腕に巻回する上腕式血圧測定装置では、腕を机上に肘を曲げて乗せた姿勢で測定することが一般に行われている。
【０００４】
また、血圧測定のタイミングは、朝晩だけではなく、睡眠中の血圧測定が行われるようになっている。
【先行技術文献】
【特許文献】
【０００５】
【特許文献１】特開２００９−２１７７０３号公報
【発明の概要】
【発明が解決しようとする課題】
【０００６】
このような血圧測定では、被測定者の姿勢が変化すると、血圧測定の位置とセンサの位置との関係が変わる。例えば睡眠中は、被測定者の姿勢が変化しやすく、カフとセンサとの位置関係が変動しやすい。このような事情から、カフとセンサとの位置関係を検出し、カフとセンサの位置関係から血圧測定結果を補正することが考えられる。しかしながら、カフと装置本体を接続するカフ接続用の配管の他に、高さ検出用の配管を設ける場合、配管の数が多くなるため、配管の構造や接続作業が複雑となり、取り扱いが困難となる。
【０００７】
そこで本発明は、配管の構造を単純化でき、ユーザビリティの高い血圧測定装置を提供することを目的とする。
【課題を解決するための手段】
【０００８】
一態様によれば、第１の流体が配される内部空間を有する袋体を備え、生体に巻き付けられる、カフと、前記袋体の前記内部空間に連通する流路の前記第１の流体の圧力を検出する圧力センサを備える装置本体と、第１の流体が通る第１流路を構成し、一端側が前記袋体に接続され、他端側が前記装置本体に接続される、第１のチューブと、前記第１のチューブ内の前記第１流路に配され、前記第２の流体が通る第２流路を構成する第２のチューブと、前記第２のチューブの一端側に設けられ、第２の流体を収容するとともに、前記カフに取付けられる、水頭圧袋と、前記第２のチューブの他端側に設けられ、前記第２の流体の圧力を検出する水頭圧センサと、を備える血圧測定装置が提供される。
【０００９】
ここで、カフとは、血圧を測定するときに生体の上腕等に巻き付けられ、流体が供給することで膨張するものであり、例えば、上腕で血圧を測定する血圧測定装置に設けられる。また、ここでのカフとは、空気袋等の袋状構造体であってもよく、また、袋状のカバー内に空気袋等の袋状構造体が収容された構造であってもよい。また、ここで、装置本体とは、ポンプや流路を含む血圧測定装置の処理装置である。
【００１０】
この態様によれば、水頭圧検出用の第２の流体が通る第２のチューブを、第１の流体が通る第１のチューブの第１流路内に配し、血圧測定のチューブと水頭圧測定のチューブを二重管構造としてまとめることで、配管の数を減らすことができ、ユーザビリティが向上する。
【００１１】
上記一態様の血圧測定装置において、前記水頭圧センサは、前記装置本体に取付けられ、
前記第２の流体は前記第１の流体よりも圧縮率が小さく、前記第２のチューブは前記第１のチューブよりも、流路径が小さく、曲げ剛性が高く構成された血圧測定装置が提供される。
【００１２】
この態様によれば、圧縮率の小さい第２の流体が配される第２のチューブを、圧縮率の大きい第１の流体が通る第１のチューブの内部を通して配設することで、第２のチューブの変形を防止して水頭圧検出精度を維持することができるとともに、第１のチューブの曲げを可能にすることで、取り扱い性を確保できる。また、第２のチューブの外周を第１の流体の層で保護することで、破損を防止できる。
【００１３】
上記一態様の血圧測定装置において、前記装置本体は、前記第１のチューブを介して前記袋体の前記内部空間に接続される流路部と、前記流路部を介して前記袋体に第１の流体を供給するポンプと、前記流路部を開閉する開閉弁と、前記ポンプおよび前記開閉弁の動作を制御する制御部と、前記第１のチューブ及び前記第２のチューブを有するチューブユニットが接続される接続部が外面に設けられるハウジングと、を備える、血圧測定装置が提供される。
【００１４】
この態様によれば、装置本体のハウジングの外面に、チューブユニットを接続する接続部が設けられていることから、配管の接続作業が容易となる。
【００１５】
上記一態様の血圧測定装置において、前記第１のチューブの一端側に接続され、前記第１のチューブと前記袋体の前記内部空間とを連通する空間を有する第１ケース体と、前記第２のチューブの一端側に接続される前記水頭圧袋を収容する第２ケース体と、を一体に備え、前記カフに取付けられる第１コネクタを備える、血圧測定装置が提供される。
【００１６】
この態様によれば，第１ケース体と第２ケース体とを備える第１コネクタを備える構成により、第１のチューブ及び第２のチューブの接続作業が容易となる。
【００１７】
上記一態様の血圧測定装置において、前記第１のチューブに接続され、前記装置本体内の流路部と前記第１のチューブとを連通する流路を形成する第３ケース体と、前記第２のチューブに接続される前記水頭圧センサを収容する第４ケース体と、を一体に備え、前記装置本体に接続される、第２コネクタを備える、血圧測定装置が提供される。
【００１８】
この態様によれば，第３ケース体と第４ケース体とを備える第２コネクタを備える構成により、第１のチューブ及び第２のチューブの接続作業が容易となる。
【００１９】
上記一態様の血圧測定装置において、前記第３ケース体は外方に突出する筒状のプラグを備え、前記水頭圧センサは、前記第４ケース体から、前記プラグの突出方向に突出する端子を備える、血圧測定装置が提供される。
【００２０】
この態様によれば、第２コネクタにおいて、プラグと端子とを同方向に突出させる構成により、一度の接続作業で電気的な接続と第１の流体の流路の接続が可能となり、作業性や取り扱い性が向上する。
【００２１】
上記一態様の血圧測定装置において、前記第１の流体は空気であり、前記第２の流体はグリセリンである、血圧測定装置が提供される。
【００２２】
この態様によれば、揮発性の低いグリセリンを用いることで空気の混入を防止し、高い検出精度を維持できる。
【００２３】
一態様によれば、装置本体に接続され、第１の流体が配される内部空間を有する袋体を備え、生体に巻き付けられる、カフと、第１の流体が通る第１流路を構成し、一端側が前記袋体に接続され、他端側が前記装置本体に接続される、第１のチューブと、前記第１のチューブ内の前記第１流路に配され、前記第２の流体が通る第２流路を構成する第２のチューブと、前記第２のチューブの一端側に設けられ、第２の流体を収容するとともに、前記カフに取付けられる、水頭圧袋と、前記第２のチューブの他端側に設けられ、前記第２の流体の圧力を検出する水頭圧センサと、を備えるカフユニットが提供される。
【００２４】
この態様によれば、水頭圧検出用の第２の流体が通る第２のチューブを、第１の流体が通る第１のチューブの第１流路内に配し、血圧測定のチューブと水頭圧測定のチューブを二重管構造としてまとめることで、配管の数を減らすことができ、ユーザビリティが向上する。
【発明の効果】
【００２５】
本発明は、配管の構造を単純化でき、ユーザビリティの高い血圧測定装置及びカフユニットを提供することができる。
【図面の簡単な説明】
【００２６】
【図１】本発明の第１の実施形態に係る血圧測定装置の構成を示す説明図。
【図２】同血圧測定装置の構成を示す斜視図。
【図３】同血圧測定装置の構成を示すブロック図。
【図４】同血圧測定装置の高さ検出ユニットの構成を一部断面で示す斜視図。
【図５】同血圧測定装置の第１コネクタの構成を示す平面図。
【図６】同第１コネクタの構成を示す斜視図。
【図７】同第１コネクタの構成を示す断面図。
【図８】同血圧測定装置の水頭圧袋の構成を示す斜視図。
【図９】同血圧測定装置の第２コネクタの構成を示す斜視図。
【図１０】同第２コネクタの内部構成を示す説明図。
【図１１】同第２コネクタの内部構成を示す断面図。
【発明を実施するための形態】
【００２７】
［第１の実施形態］
以下、本発明の第１の実施形態に係る血圧測定装置１の一例について、図１乃至図１１を用いて以下例示する。図１は、第１の実施形態に係る血圧測定装置１の構成を示す説明図であり、図２は血圧測定装置１の構成を示す斜視図である。図３は血圧測定装置１の構成を示すブロック図である。図４は高さ検出ユニットの構成を示す斜視図である。図５は第１コネクタの構成を示す断面図、図６は第１コネクタの斜視図、図７は第１コネクタの断面図である。図８は水頭圧袋の構成を示す斜視図である。図９は第２コネクタの構成を示す斜視図であり、図１０は第２コネクタの説明図であり、一部切欠して内部構造を示す斜視図である。図１１は第２コネクタの内部構成を示す断面図である。血圧測定装置１は、生体１０１に装着する電子血圧測定装置である。本実施形態においては、生体１０１の上腕に装着する電子血圧測定装置を用いて説明する。
【００２８】
図１に示すように、血圧測定装置１は、被測定者１００に装着されるカフ１１と、所定の測定箇所に載置される装置本体２０と、カフ１１と装置本体２０とを接続する接続ユニット５０と、を備える。
【００２９】
カフ１１は、生体１０１、例えばここでは上腕に、巻き付けられる袋状カバー体１４と、袋状カバー体１４内に収容される単数または複数の空気袋１５（袋体）と、を備える。
【００３０】
袋状カバー体１４は、布等のシート状部材により一方向に長い矩形の袋状に構成されている。袋状カバー体１４の表面の所定箇所には例えばカフ１１を上腕に固定するための面ファスナー等が設けられている。袋状カバー体１４にはチューブユニット５３が挿入される孔部１４ａが形成されている。袋状カバー体１４は長手方向が生体の周方向に沿うように生体に巻き付けられて装着される。袋状カバー体１４内に、空気袋１５が収容されている。
【００３１】
ここで、空気袋１５とは、袋状構造体であり、本実施形態においては血圧測定装置１がポンプ２２により空気を用いる構成であることから、空気袋１５を用いて説明するが、空気以外の流体を用いる場合には、袋状構造体は液体袋等の流体袋であってもよい。
【００３２】
空気袋１５は、一方向に長い矩形状に構成される。空気袋１５は、例えば、一方向に長い二枚のシート部材を組み合わせ、縁部を熱により溶着することで構成される。空気袋１５には内部空間に連通する開口を有するとともにカフ１１の面方向に沿って延びる筒状の接続部１５ａが形成されている。この接続部１５ａに、後述する接続ユニット５０の第１のエアプラグ５４ｃが、挿入され、接続される。
【００３３】
カフ１１は、接続ユニット５０を介してポンプ２２に流体的に接続され、ポンプ２２により流体が供給されることにより膨張する。カフ１１は、長手方向が生体１０１の周方向に沿うように生体１０１に巻き付けられ、膨張することにより、装着した被測定者１００の部位の血管に圧を与える。
【００３４】
図１乃至図３に示すように、装置本体２０は、ハウジング２１と、ハウジング２１内に収容されるポンプ２２と、開閉弁２３と、圧力センサ２４と、電力供給部２７と、制御基板２８と、操作部２９と、表示部３１と、を備える。
【００３５】
ハウジング２１は、ポンプ２２、開閉弁２３、圧力センサ２４、操作部２９の一部、表示部３１の一部、制御基板２８を収容するとともに、操作部２９の一部及び表示部３１の一部を外面から露出させる。ハウジング２１の外面の所定箇所には、プラグ孔２１ａと、端子接続部２１ｂと、を有する接続部２１ｃが形成されている。プラグ孔２１ａは、例えば流路部に繋がる孔部であり、後述する接続ユニット５０の第２のエアプラグ５６ｃに嵌合可能に構成されている。端子接続部２１ｂは、プラグ孔２１ａと同じ面においてプラグ孔２１ａに隣接して設けられている。端子接続部２１ｂは、後述する接続ユニット５０の通信端子５７ａの端子数と同数の孔部を有する。
【００３６】
ポンプ２２は、気体（空気）を供給するポンプ装置であり、例えば圧電ポンプである。ポンプ２２は、空気を圧縮し、装置本体２０内に形成される流路部及びチューブユニット５３を介して圧縮空気をカフ１１に供給する。ポンプ２２は、制御部４３に電気的に接続される。
【００３７】
開閉弁２３は、例えば、装置本体２０内に形成される流路に、複数設けられる。各開閉弁２３は、流路の一部を開閉する。各開閉弁２３の開閉の組み合わせによりポンプ２２からカフ１１へつながる流路を選択的に開閉する。
【００３８】
圧力センサ２４は、例えば、ポンプ２２からカフ１１へつながる流路に設けられ、カフ１１に連通する流路の圧力を検出する。圧力センサ２４は、電気的に制御基板２８に接続され、検出した圧力を電気信号に変換し、制御基板２８へ出力する。圧力センサ２４は、カフ１１の内圧と血圧を測定する。
【００３９】
図３に示すように、電力供給部２７は、例えば、リチウムイオンバッテリ等の二次電池である。電力供給部２７は、制御基板２８に電気的に接続され、制御基板２８に電力を供給する。
【００４０】
制御基板２８は、例えば、通信部４１と、記憶部４２と、制御部４３と、を備えている。制御基板２８は、通信部４１、記憶部４２及び制御部４３が基板に実装されることで構成される。
【００４１】
表示部３１は、検出された血圧情報や操作内容等を表示する。  
操作部２９は、測定設定や種々の入力を行う操作ボタンやタッチパネル等を備える。
【００４２】
通信部４１は、外部の装置と無線又は有線によって情報を送受信可能に構成される。通信部４１は、例えば、制御部４３によって制御された情報や測定された血圧値及び脈拍等の情報を、ネットワークを介して外部の装置へ送信し、また、外部の装置からネットワークを介してソフトウェア更新用のプログラム等を受信して制御部４３に送る。
【００４３】
本実施形態において、ネットワークは、例えばインターネットであるが、これに限定されず、病院内に設けられたＬＡＮ（Ｌｏｃａｌ  Ａｒｅａ  Ｎｅｔｗｏｒｋ）等のネットワークであってもよく、また、ＵＳＢ等の所定の規格の端子を有するケーブルなどを用いた外部の装置との直接的な通信であってもよい。このため、通信部４１は、無線アンテナ及びマイクロＵＳＢコネクタ等の複数の要素を含む構成であってもよい。
【００４４】
記憶部４２は、血圧測定装置１全体及び流体回路を制御するためのプログラムデータ、血圧測定装置１の各種機能を設定するための設定データ、圧力センサ２４や水頭圧センサ５７で測定された圧力から血圧値や脈拍を算出するための算出データ等を予め記憶する。また、記憶部４２は、測定された血圧値や脈拍等の情報、水頭圧等の情報を記憶する。
【００４５】
制御部４３は、単数又は複数のＣＰＵにより構成され、血圧測定装置１全体の動作、及び、流体回路の動作を制御する。制御部４３は、表示部３１、操作部２９、ポンプ２２、各開閉弁２３及び各圧力センサ２４、水頭圧センサ５７、に電気的に接続されるとともに、電力を供給する。また、制御部４３は、操作部２９及び圧力センサ２４、水頭圧センサ５７が出力する電気信号に基づいて、表示部３１、ポンプ２２及び開閉弁２３の動作を制御する。例えば、制御部４３は血圧を測定する指令が入力されると、ポンプ２２及び開閉弁２３を駆動してカフ１１に圧縮空気を送る。また、制御部４３は、圧力センサ２４が出力する電気信号に基づいて、ポンプ２２の駆動及び停止、並びに、開閉弁２３の開閉を制御し、圧縮空気をカフ１１に選択的に送るとともに、カフ１１を選択的に加圧する。
【００４６】
また、制御部４３は、圧力センサ２４及び水頭圧センサ５７が出力する電気信号から、脈波の変動、最高血圧、最低血圧などの血圧値や心拍数、被測定者１００の姿勢等の測定結果を求め、この測定結果に対応した画像信号を表示部３１へ出力し、あるいは記憶部４２に記憶させる。
【００４７】
このような装置本体２０は、記憶部４２に記憶されたプログラムデータを用いて制御部４３が処理を行うことで、センサで検出した脈波から血圧データを連続的に生成する。血圧データは、測定した脈波の波形に対応する血圧波形のデータを含む。血圧データは、血圧特徴量（血圧値）の時系列データをさらに含んでもよい。血圧特徴量は、例えば、収縮期血圧（ＳＢＰ；Ｓｙｓｔｏｌｉｃ  Ｂｌｏｏｄ  Ｐｒｅｓｓｕｒｅ）および拡張期血圧（ＤＢＰ；Ｄｉａｓｔｏｌｉｃ  Ｂｌｏｏｄ  Ｐｒｅｓｓｕｒｅ）を含むが、これに限定されない。一心拍分の脈波波形における最大値は収縮期血圧に対応し、一心拍分の脈波波形における最小値は拡張期血圧に対応する。
【００４８】
接続ユニット５０は、第１のチューブであるカフ配管５１と、第２のチューブである水頭圧管５２と、を有するチューブユニット５３と、チューブユニット５３の一端に設けられる第１コネクタ５４と、第１コネクタ５４の内部に収容された水頭圧袋５５と、チューブユニット５３の他端側に設けられた第２コネクタ５６と、第２コネクタ５６内に収容される水頭圧センサ５７と、を備える。
【００４９】
カフ配管５１は、例えば内径φ６ｍｍ、外径φ１０ｍｍに構成され、第１の流体である空気が通る第１流路を構成する。カフ配管５１は水頭圧管５２よりも柔らかい材料で構成されている。一例として、カフ配管５１は、例えばＰＶＣ（ポリ塩化ビニル）等の塩化ビニル系樹脂材料から、管状に構成されている。カフ配管５１は、一端側に第１の接続管部５１ａを有し、他端側に第２の接続管部５１ｂを有する。第１の接続管部５１ａは、第１コネクタ５４に挿入されて接続され、第２の接続管部５１ｂは第２コネクタ５６に挿入されて接続される。
【００５０】
水頭圧管５２はカフ配管５１内に配されている。水頭圧管５２は、カフ配管５１よりも流路径が小さく、細く構成され、例えば、内径φ２ｍｍ、外径φ３ｍｍに構成されている。水頭圧管５２は、第２の流体７０が通る第２流路を構成する。また、水頭圧管５２は、カフ配管５１よりも硬く、剛性の高い材料、例えばＰＴＦＥ（ポリテトラフルオロエチレン）等のフッ素系樹脂から管状に構成されている。水頭圧管５２は、カフ配管５１よりも曲げ剛性が高く構成されている。
【００５１】
チューブユニット５３は、第１のチューブであるカフ配管５１内の第１流路に、第２のチューブとしての水頭圧管５２が配される二重管である。チューブユニット５３は、長さ１５００ｍｍ程度に構成されている。
【００５２】
本実施形態において、空気袋１５側に設けられた水頭圧袋５５と、装置本体２０に設けられた水頭圧センサ５７と、水頭圧袋５５及び水頭圧センサ５７に接続される水頭圧管５２と、により、カフ１１と装置本体２０との高さの位置関係を検出する高さ検出ユニット３５が構成される。
【００５３】
図４乃至図８に示すように、第１コネクタ５４は、カフ１１に接続される第１のエアプラグ５４ｃを有する第１ケース体５４ａと、水頭圧袋５５を収容する第２ケース体５４ｂと、を一体に備える。第１コネクタ５４は、第１ケース体５４ａと第２ケース体５４ｂとはチューブユニット５３の軸方向に沿って並んで連続して配置されるとともに流体密に区画されている。第１コネクタ５４は、幅方向の寸法よりも、厚さ方向の寸法が小さい、薄型に構成されている。
【００５４】
第１ケース体５４ａは、例えば合成樹脂で構成された直方体状に構成され、第１の流体の流路を形成する。第１ケース体５４ａの一方の側壁には、チューブユニット５３のカフ配管５１が接続される第１のチューブ孔５４ｄが形成されている。第１ケース体５４ａの他方の側壁には、第１のチューブ孔５４ｄと同軸の第２のチューブ孔５４ｅが形成されている。第１のチューブ孔５４ｄはカフ配管５１の第１の接続管部５１ａの外径と同等の径を有する円形状に構成されている。第２のチューブ孔５４ｅは、水頭圧袋５５の継手部５５ｃの外径と同等の径を有する円形状に構成される。また、第１ケース体５４ａの他方の側壁には、外方に突出する第１のエアプラグ５４ｃが形成されている。第１のエアプラグ５４ｃは円筒状に構成され、第１ケース体５４ａ内の流路と、装置本体２０の流路部とを連通する。第１のエアプラグ５４ｃは第１コネクタ５４の主面方向に沿って延びる。
【００５５】
第２ケース体５４ｂは、直方体状に形成され、水頭圧袋５５を収容する密閉された収容空間を形成する。第２ケース体５４ｂは第１ケース体５４ａの他方の側壁に固定されている。第２ケース体５４ｂの一方の側壁には、第２のチューブ孔５４ｅと対向して連通する貫通孔である、第３のチューブ孔５４ｆが形成されている。第３のチューブ孔５４ｆは第２のチューブ孔５４ｅと同軸であり同形状に構成されている。同軸に配される第１のチューブ孔５４ｄ、第２のチューブ孔５４ｅ、及び第３のチューブ孔５４ｆを通って水頭圧管５２が第１ケース体５４ａを通り、第２ケース体５４ｂ内に至る。また、複数のチューブ孔が並ぶ方向、すなわち水頭圧管５２が延びる方向、と平行に、第１のエアプラグ５４ｃが延びている。
【００５６】
第１コネクタ５４は、カフ１１の袋状カバー体１４内に配され、袋状カバー体１４の内部において第１のエアプラグ５４ｃが空気袋１５の接続部１５ａに挿入されることで空気袋１５に流体的に接続される。
【００５７】
図８に示すように、水頭圧袋５５は、水頭圧管５２の一端側に接続されている。水頭圧袋５５は、例えば扁平な流体袋であり、内部に第２の流体７０が充填されている。水頭圧袋５５は、扁平な円形状のバッグ部５５ａを有する。バッグ部５５ａは、外周縁が一部径方向に突出して形成される凸部５５ｂと、凸部５５ｂに連続する円管状の継手部５５ｃと、を一体に備える。
【００５８】
バッグ部５５ａは、第２ケース体５４ｂ内に収容されている。バッグ部５５ａは内部に収容される第２流体の増減に応じて変形可能に構成されている。
【００５９】
水頭圧袋５５は、例えばバッグ部５５ａから、凸部５５ｂ及び継手部５５ｃを通って水頭圧管５２に至るまで、内面に凹凸が無く、流体の抵抗が少ない構成である。したがって、例えば第２の流体７０を充填する際には、水頭圧管５２側を上に配することで空気が水頭圧管５２側に抜けやすく構成されている。
【００６０】
第２の流体７０は例えば第１の流体よりも圧縮率の小さい流体であり、本実施形態においては例えば比重１．２６ｇ／ｃｍ３のグリセリンを用いた。
【００６１】
第２コネクタ５６は、第２のエアプラグ５６ｃを有する第３ケース体５６ａと、水頭圧センサ５７を収容する第４ケース体５６ｂと、を一体に備える。第４ケース体５６ｂと第３ケース体５６ａはチューブユニット５３の軸方向に沿って並んで連続して配置され、流体密に区画されている。第２コネクタ５６は、幅方向の寸法よりも、厚さ方向の寸法が小さい、薄型に構成されている。
【００６２】
第３ケース体５６ａは、合成樹脂で構成され、例えば円弧形状の外周壁を有する扁平な形状を有する。第３ケース体５６ａは、第１の流体の流路の一部を形成する。第３ケース体５６ａの一方側の側壁には、第４のチューブ孔５６ｄが形成されている。第３ケース体５６ａの他方の側壁には、側壁を貫通する第５のチューブ孔５６ｅが第４のチューブ孔５６ｄと同軸に形成されている。第３ケース体５６ａの一方の主面を構成する底壁部には、第２コネクタ５６の厚さ方向に突出する第２のエアプラグ５６ｃが形成されている。第２のエアプラグ５６ｃは円筒状に構成され、第１流体が通る流路を形成する。
【００６３】
第４ケース体５６ｂは、直方体状に形成され、水頭圧センサ５７を収容する。第４ケース体５６ｂの一方の側壁には、第５のチューブ孔５６ｅと対向して連通する貫通孔である、第６のチューブ孔５６ｆが形成されている。第４ケース体５６ｂの内部には水頭圧センサ５７が収容されている。第４ケース体５６ｂの一方の主面を構成する底壁部には水頭圧センサ５７の通信端子５７ａが通る孔部５６ｇが複数形成されている。通信端子５７ａは第４ケース体５６ｂから、第２のエアプラグ５６ｃの突出方向に突出して延びている。
【００６４】
第４のチューブ孔５６ｄは第２の接続管部５１ｂの外径と同等の内径を有する円形の孔部であり、第４のチューブ孔５６ｄにカフ配管５１の他端の第２の接続管部５１ｂが挿入され、接続される。また、第５のチューブ孔５６ｅ及び第６のチューブ孔５６ｆは水頭圧管５２の外径と同等の内径を有し、これら第４のチューブ孔５６ｄ及び第５のチューブ孔５６ｅを通って水頭圧管５２が第４ケース体５６ｂ内に至る。
【００６５】
第２コネクタ５６は、装置本体２０の接続部２１ｃに接続される。具体的には、第２コネクタ５６の、第２のエアプラグ５６ｃがハウジング２１のプラグ孔２１ａへ挿入され、通信端子５７ａがハウジング２１の端子接続部２１ｂへ挿入される。第２のエアプラグ５６ｃのプラグ孔２１ａへの挿入と、通信端子５７ａの端子接続部２１ｂへの挿入により、装置本体２０に第２コネクタ５６が電気的及び機械的に接続され、装置本体２０の流路部とチューブユニット５３とが連通する。
【００６６】
例えば、本実施形態においては、カフ１１に接続ユニット５０が接続されて一体に組み付けられたカフユニット１０と、装置本体２０とが、別体として構成されており、例えばユーザが第２コネクタ５６を装置本体２０に挿入することで、カフユニット１０と装置本体２０とを接続する。
【００６７】
水頭圧センサ５７は、第４ケース体５６ｂ内に収容される圧力センサである。水頭圧センサ５７は、水頭圧管５２の他端側に接続され、水頭圧袋５５に連通する流路の第２の流体７０の圧力を検出する。水頭圧センサ５７は、第４ケース体５６ｂ外に突出する複数の通信端子５７ａを備える。水頭圧センサ５７は、電気的に制御基板２８に接続され、検出した圧力を電気信号に変換し、制御基板２８へ出力する。
【００６８】
この水頭圧センサ５７により検出される第２流体の圧力は、水頭圧センサ５７と水頭圧袋５５との高さの差に比例する。水頭圧センサ５７は装置本体２０側、すなわち血圧を測定する圧力センサ２４の近傍に設けられている。一方水頭圧袋５５は、カフ１１側に取付けられている。すなわち、水頭圧センサ５７により、カフ１１と装置本体２０との高さの位置関係が検出できる。
【００６９】
このように構成された一実施形態に係る血圧測定装置１は、水頭圧検出用の第２の流体７０が通る水頭圧管５２を、血圧測定用の第１の流体が通るカフ配管５１の第１流路内に配した構成である。したがって、血圧測定の配管と水頭圧測定の配管を１本の二重配管にまとめて配管の数を減らすことができ、ユーザビリティが向上する。
【００７０】
血圧測定装置１は、圧縮率の小さい第２の流体７０が配される水頭圧管５２を、圧縮率の大きい第１の流体のカフ配管５１の内部を通して配設することで、水頭圧管５２の変形を防止して水頭圧検出精度を維持することができるとともに、チューブユニット５３自体の曲げを可能にすることで、取り扱い性を確保できる。また、水頭圧管５２の外周を空気のカフ配管５１で覆うことで水頭圧管５２の損傷を防止し、流体漏れを防止できる。また、血圧測定装置１によれば、第１ケース体５４ａ、第２ケース体５４ｂを有する第１コネクタ５４、第３ケース体５６ａ及び第４ケース体５６ｂを有する第２コネクタ５６を備える構成により、水頭圧管５２の接続を容易に行うことができる。また、第１コネクタ５４及び第２コネクタ５６により単純な構成で２種類の流体の流路を分けるとともに、流体の漏れを防止することができる。
【００７１】
また、血圧測定装置１によれば、第２コネクタ５６において、第２のエアプラグ５６ｃと通信端子５７ａとを同方向に突出させる構成により、一度の接続作業で電気的な接続と流路の接続が可能となり、作業性や取り扱い性が向上する。また、水頭圧袋５５のチューブ接続側の内壁を凹凸が無い滑らかな表面に構成することで、製造時に第２の流体７０を封入する際に、水頭圧袋５５の水頭圧管５２側を上向きにするだけで空気を水頭圧管５２側に抜くことができる。したがって、水頭圧袋５５に空気が入ることを防止でき、水頭圧の検出精度を維持できる。
【００７２】
さらに、第２の流体は揮発性の低いグリセリンとすることにより、水頭圧袋での空気の発生を抑制でき、測定精度を確保できる。
【００７３】
ただし、上述した各実施形態は、あらゆる点において本発明の例示に過ぎない。本発明の範囲を逸脱することなく種々の改良や変形を行うことができることは言うまでもない。つまり、本発明の実施にあたって、実施形態に応じた具体的構成が適宜採用されてもよい。
【符号の説明】
【００７４】
１、１Ａ…血圧測定装置
１０…カフユニット
１１…カフ
１４…袋状カバー体
１５…空気袋
２０…装置本体
２１…ハウジング
２１ａ…プラグ孔
２１ｂ…端子接続部
２１ｃ…接続部
２２…ポンプ
２３…開閉弁
２４…圧力センサ
２７…電力供給部
２８…制御基板
２９…操作部
３１…表示部
４１…通信部
４２…記憶部
４３…制御部
５０…接続ユニット
５１…カフ配管
５２…水頭圧管
５３…チューブユニット
５４…第１コネクタ
５４ａ…第１ケース体
５４ｂ…第２ケース体
５４ｃ…第１のエアプラグ
５４ｄ…第１のチューブ孔
５４ｅ…第２のチューブ孔
５４ｆ…第３のチューブ孔
５５…水頭圧袋
５５ａ…バッグ部
５５ｂ…凸部
５５ｃ…継手部
５６…第２コネクタ
５６ａ…第３ケース体
５６ｂ…第４ケース体
５６ｃ…第２のエアプラグ
５６ｄ…第４のチューブ孔
５６ｅ…第５のチューブ孔
５６ｆ…第６のチューブ孔
５６ｇ…孔部
５７…水頭圧センサ
５７ａ…通信端子
１００…被測定者
１０１…生体
【図１】
2020010967.tif 000003
【図２】
2020010967.tif 000004
【図３】
2020010967.tif 000005
【図４】
2020010967.tif 000006
【図５】
2020010967.tif 000007
【図６】
2020010967.tif 000008
【図７】
2020010967.tif 000009
【図８】
2020010967.tif 000010
【図９】
2020010967.tif 000011
【図１０】
2020010967.tif 000012
【図１１】
2020010967.tif 000013